(57)【要約】【課題】位置ずれやヨレ、しわなどの発生を抑制することができる体液吸収シートを提供する。【解決手段】体液吸収シート１は、第１の方向の長さがこれと直交する第２の方向の長さよりも長い外形を有する表面シート２及びバックシート３と、表面シート２及びバックシート３の間に設けられ、表面シート２及びバックシート３よりも一回り小さい外形を有する吸収性コア４と、バックシート３の裏面に形成された粘着層５と、を備える。粘着層５は、バックシート３の裏面の第２の方向の両側の側縁部３０，３０の少なくとも一部については、側縁部３０の外縁３３まで粘着領域５０が存在するように形成されている【選択図】図２
2015188737.tif 000002
【特許請求の範囲】
【請求項１】
第１の方向の長さがこれと直交する第２の方向の長さよりも長い外形を有する表面シート及びバックシートと、
前記表面シート及び前記バックシートの間に設けられ、前記表面シート及び前記バックシートよりも一回り小さい外形を有する吸収性コアと、
前記バックシートの裏面に形成された粘着層と、を備えた体液吸収シートにおいて、
前記粘着層は、前記バックシートの裏面の前記第２の方向の両側の側縁部の少なくとも一部については、前記側縁部の外縁まで粘着領域が存在するように形成されている体液吸収シート。
【請求項２】
前記粘着層は、前記バックシートの前記第１の方向に間隔をあけて配置されるとともに、前記第２の方向の一方の側縁部の外縁から他方の側縁部の外縁まで延びる複数の帯状の粘着領域により構成されている請求項１に記載の体液吸収シート。
【請求項３】
複数の前記粘着領域は、一定の間隔をあけて配置され、前記間隔は１ｍｍ〜１０ｍｍであり、
複数の前記粘着領域の幅は、１ｍｍ〜１０ｍｍである請求項２に記載の体液吸収シート。
【請求項４】
前記バックシートは、液不透過性を有するフィルムからなる請求項１〜３のいずれかに記載の体液吸収シート。
【請求項５】
前記表面シート、前記吸収性コア及び前記バックシートの３層構造からなる請求項１〜４のいずれかに記載の体液吸収シート。
【発明の詳細な説明】
【技術分野】
【０００１】
本発明は、生理用ナプキンやパンティライナーなどの、下着に装着しておりものなどの体液を吸収する体液吸収シートに関する。
【背景技術】
【０００２】
従来から、おりもの、経血、汗、尿などの体液を吸収させるため、体液吸収シートが用いられている。体液吸収シートは、主に、表面シートと、バックシートと、表面シート及びバックシートの間に挟まれる吸収性コアとを備えた構成のものであり、一般的に、股間部などの装着部位に合わせて実質的に縦長に形成されている。この体液吸収シートは、吸収性コアが表面シート及びバックシートと同じ大きさ及び形状に形成されているものもあれば、例えば特許文献１のように、吸収性コアの大きさが表面シート及びバックシートよりも一回り小さく形成されているものもある。後者の場合、吸収性コアの周囲に、表面シート及びバックシートが互いに接合された外周縁部を有している。
【先行技術文献】
【特許文献】
【０００３】
【特許文献１】特開２０１０−５２７６８１号公報
【発明の概要】
【発明が解決しようとする課題】
【０００４】
特許文献１のような体液吸収シートを下着に装着した場合、体液吸収シートの外周縁部は吸収性コアが存在しないことから、吸収性コアが存在している部分よりも薄く剛性が低い。そのため、体液吸収シートを下着に装着しても、外周縁部が下着から捲れやすく、外周縁部からの捲れによって体液吸収シートの位置ずれあるいは体液吸収シートのヨレやしわが発生するという問題がある。ここで、体液吸収シートにはバックシートの裏面に粘着層が設けられており、この粘着層により、体液吸収シートが下着に貼り付けられて固定されるようになっている。特許文献１では、粘着層が、体液吸収シートの長手方向に延びる複数の粘着領域により構成されており、この粘着領域が体液吸収シートの幅方向に間隔をあけて設けられている。
【０００５】
ただし、特許文献１のように、粘着領域が体液吸収シートの長手方向に延びるように設けられる場合には、製造上の理由により、体液吸収シートの外周縁部のうち、幅方向両側の側縁部には粘着領域が設けられない。つまり、体液吸収シートは、表面シート及びバックシートを構成する２枚の長尺のシート材の間に間隔をあけて吸収性コアを配置し、２枚のシート材を例えばホットメルト等の接着剤により接着又は熱融着することにより、吸収性コアが２枚のシート材の間に封入される。バックシートとなる一方のシート材には粘着領域がシート材の長さ方向に間隔をあけて設けられており、シート材を、吸収性コアの位置で、所望の体液吸収シートの外形に応じた切断刃で個々に打ち抜くことで、シート材から体液吸収シートが分離される。ここで、シート材の体液吸収シートの側縁部となる位置に沿って延びるように粘着領域が設けられていると、シート材を切断刃で打ち抜く際に、粘着領域を打ち抜くことになる。そのため、切断刃に打ち抜かれた体液吸収シートが粘着によりくっつき、切断刃から体液吸収シートを剥がし取るという手間が生じるので、製造上好ましくない。よって、通常は、シート材の粘着領域が設けられていない非粘着領域を切断刃で打ち抜くことで、切断刃に体液吸収シートを付着させることなくシート材から体液吸収シートを分離させている。
【０００６】
このように、粘着領域を体液吸収シートの長手方向に延びるように設けた場合には、製造上の理由により、体液吸収シートの外周縁部のうち、幅方向両側の側縁部には粘着領域が設けられない。しかし、体液吸収シートの両側縁部は、体液吸収シートを下着に貼り付けた際に、太股の内側に位置するため、太股に接触して下着から捲れやすい。よって、体液吸収シートの両側縁部に粘着領域が存在していないと、体液吸収シートを下着に装着した場合に、体液吸収シートの位置ずれやヨレ、しわが発生する。
【０００７】
本発明は、上記問題を解決するためになされたものであり、位置ずれやヨレ、しわなどの発生を抑制することができる体液吸収シートを提供することを目的とする。
【課題を解決するための手段】
【０００８】
本発明の上記目的は、第１の方向の長さがこれと直交する第２の方向の長さよりも長い外形を有する表面シート及びバックシートと、前記表面シート及び前記バックシートの間に設けられ、前記表面シート及び前記バックシートよりも一回り小さい外形を有する吸収性コアと、前記バックシートの裏面に形成された粘着層と、を備えた体液吸収シートにおいて、前記粘着層は、前記バックシートの裏面の前記第２の方向の両側の側縁部の少なくとも一部については、前記側縁部の外縁まで粘着領域が存在するように形成されている体液吸収シートにより達成される。
【０００９】
上記構成の体液吸収シートにおいて、前記粘着層は、前記バックシートの前記第１の方向に間隔をあけて配置されるとともに、前記第２の方向の一方の側縁部の外縁から他方の側縁部の外縁まで延びる複数の帯状の粘着領域により構成されていることが好ましい。
【００１０】
また、複数の前記粘着領域は、一定の間隔をあけて配置され、前記間隔は１ｍｍ〜１０ｍｍであり、複数の前記粘着領域の幅は、１ｍｍ〜１０ｍｍであることがさらに好ましい。
【００１１】
また、前記バックシートは、液不透過性を有するフィルムからなることがさらに好ましい。
【００１２】
また、体液吸収シートが、前記表面シート、前記吸収性コア及び前記バックシートの３層構造からなることがさらに好ましい。
【発明の効果】
【００１３】
本発明の体液吸収シートによれば、下着に装着して使用した際に、位置ずれやヨレ、しわなどの発生を抑制することができる。
【図面の簡単な説明】
【００１４】
【図１】本発明の一実施形態に係る体液吸収シートの平面図である。
【図２】図１の底面図である。
【図３】図１のＡ−Ａ線に沿う断面図である。
【図４】本発明の他の実施形態に係る体液吸収シートの底面図である。
【図５】本発明の他の実施形態に係る体液吸収シートの底面図である。
【図６】本発明の他の実施形態に係る体液吸収シートの底面図である。
【図７】本発明の他の実施形態に係る体液吸収シートの底面図である。
【発明を実施するための形態】
【００１５】
以下、本発明の実施形態について添付図面を参照して説明する。図１及び図２は、本発明の一実施形態に係る体液吸収シート１の平面図及び背面図を示しており、図３は、図１及び図２の体液吸収シート１の断面図を示している。
【００１６】
体液吸収シート１は、表面シート２と、バックシート３と、表面シート２及びバックシート３の間に挟まれた吸収性コア４と、を備えた多層構造で構成されており、本実施形態では、表面シート２、吸収性コア４及びバックシート３がこの順で積層された３層構造で構成されている。バックシート３の裏面には、体液吸収シート１を下着に貼り付けるための粘着層５が形成されている。粘着層５は、体液吸収シート１の使用時（下着への装着時）まで粘着層５を保護し、使用時に粘着層５から剥離可能な剥離シート（図示せず）により覆われている。この剥離シートは、プラスチックフィルムや繊維製シート、紙などのシート材に剥離剤を塗布することで形成され、剥離剤側が粘着層５に貼着されている。また、体液吸収シート１は、使用時まで、包装袋（図示せず）により包装されている。
【００１７】
表面シート２は、身体の股間部に直接接触し、おりものや経血、汗などの体液を通過させて、下層の吸収性コア４に浸透するように液透過性を有している。この表面シート２は、構成する素材やシート構造などが特に制限されるものではなく、表面シート２を構成する素材としては、例えば、ポリエステル繊維、ポリアミド繊維、アクリル繊維、ポリプロピレン繊維、ポリエチレン／ポリエステル複合繊維、ポリエチレン／ポリプロピレン複合繊維などの合成繊維、綿、羊毛、麻などの天然繊維、あるいはレーヨン繊維、アセテート繊維などの半合成繊維、及び各種繊維の混紡品や混繊品を挙げることができるが、バックシート３との接着性などを担保するために、特に合繊繊維が好ましい。表面シート２のシート構造も特に制限されず、織物、編物、不織布、フェルトなどを挙げることができる。なかでも、良好な肌触りや皮膚への刺激性、吸収性の点から不織布が好ましい。表面シートに用いられる不織布の製造方法は、特に限定されず、従来公知の方法に従って製造できる。また、表面シートは、液透過性を高めるためにメッシュ状などの多孔構造を有していてもよく、肌への接触感をよくするためにエンボス加工などによって、表面に凹凸が形成されていてもよい。
【００１８】
バックシート３は、吸収性コア４に吸収された体液の外部への流出を防止する液不透過性を有している。このバックシート３は、シート状又はフィルム状のいずれであってもよいが、本実施形態では液不透過性のフィルムで構成されている。液不透過性のフィルムとしては、例えば、ポリエチレン、ポリプロピレン、ポリエステル、ナイロン、ポリビニルアルコール、セロファン、塩化ビニルなどからなるフィルムもしくはこれらの多層フィルムを挙げることができる。なお、バックシート３としては、液不透過性および通気性を有する素材を用いることができ、ＳＭＳなどの液不透過性の不織布を用いることもできる。
【００１９】
吸収性コア４は、体液の吸水性を有するものであれば特に制限はなく、一般に生理用ナプキンやパンティライナー、おしめ、汗取りシートなどに用いられている、例えば吸水性パルプ、吸水性ポリマーなどの公知の吸収材や、織物、編物、不織布又はパルプ製品などから構成される繊維構造物を用いることができる。なかでも、肌触りがよく、吸収性に優れる点から、天然繊維および合成繊維からなる集積体（例えば不織布）を用いることが好ましい。天然繊維としては、コットン、シルク、パルプ、羊毛、麻などを挙げることができる。このような天然繊維のなかでも、アレルギーなどの接触性皮膚炎が起こりにくく、かぶれにくく、かつ吸収性に優れる点から、（タンパク質系成分でない）コットンやパルプなどのセルロース系繊維が好ましい。また、合成繊維としては、ナイロン繊維、ポリエチレン繊維、ポリエステル繊維、ポリアミド繊維、アクリル繊維、ポリビニルアルコール繊維、ポリプロピレン繊維、ポリエチレンテレフタレート繊維、エチレン酢酸ビニル繊維、ウレタン繊維、アクリル繊維などを挙げることができる。また、レーヨン繊維、アセテート繊維、キュプラなどの半合成繊維、及び各種繊維の混紡品、混繊品を用いることもできる。なかでも、ドライ感、風合い及びヒートシール性の点から、エチレン酢酸ビニル繊維、ポリプロピレン繊維、ポリエチレン繊維、ポリエステル繊維、ポリエチレンテレフタレート繊維などの合成繊維又はそれらの複合繊維が好ましい。複合繊維としては、ポリエチレン／ポリエステル（ポリエチレンテレフタレートを含む）複合繊維、ポリエチレン／ポリプロピレン複合繊維、エチレン酢酸ビニル／ポリプロピレン複合繊維などを挙げることができる。これらは、１種単独で使用してもよく、２種以上を組み合わせて使用してもよい。２種以上の組み合わせの例としては、セルロース系繊維と複合繊維の組み合わせなどが挙げられ、その配合割合は、例えば４：６〜８：２とすることができる。
【００２０】
なお、上記した不織布は、湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法、エアレイド法などの方法により製造することができる。なかでもスパンレース法、サーマルボンド法、エアースルー法、エアレイド法、ニードルパンチ法、スパンボンド法などの方法が好ましく、これらの方法では風合いがよくかつ、接着剤、溶剤を用いないため、肌への安全性を高くすることができる。
【００２１】
表面シート２及びバックシート３は、装着部位（股間部）に合わせて実質的に縦長に形成されており、平面視において、第１の方向（図１及び図２の左右方向）の長さ（つまりは、長手方向の最大寸法）がこれと直交する第２の方向（図１及び図２の上下方向）の長さ（つまりは、幅方向の最大寸法）よりも長い外形を有している。表面シート２及びバックシート３は、同じ大きさ及び形状であり、本実施形態では、平面視において、楕円の幅方向（図１及び図２の上下方向）の両側の外縁の中央位置を内側に緩やかに凹ませた形状（略瓢箪状）である。ただし、表面シート２及びバックシート３の形状はこれに限定されるものではなく、例えば長方形状や小判状（楕円形状）など、実質的に縦長に形成されていれば種々の形状とすることができる。
【００２２】
吸収性コア４は、表面シート２及びバックシート３よりも一回り小さい外形を有しており、吸収性コア４の外縁から表面シート２及びバックシート３の外縁が外側に突き出ている。よって、体液吸収シート１には、吸収性コア４の周囲に、表面シート２及びバックシート３が互いに貼り合わされることで、外周部分１０が設けられている。
【００２３】
表面シート２、吸収性コア４及びバックシート３を貼り合わせる方法は特に限定されないが、水溶性の接着剤（例えば、アクリル系水溶性接着剤）や非水溶性接着剤（例えば、ゴム系ホットメルト、オレフィン系ホットメルト）などの接着剤により接着することができる。
【００２４】
粘着層５は、粘着剤をバックシート３の裏面に塗布することなどにより形成される。粘着層５に用いられる粘着剤は、体液吸収シート１を下着に貼り付けることができるものであれば特に限定されず、例えば、水溶性の接着剤（例えばアクリル系水溶性接着剤）や非水溶性接着剤（例えばゴム系ホットメルト、オレフィン系ホットメルト）などの接着剤を挙げることができる。なかでも、その他の粘着剤に比べて下着に対する接着力に優れる点から非水溶性接着剤が好ましく、ゴム系ホットメルトがより好ましい。
【００２５】
粘着層５は、バックシート３の裏面のほぼ全てが粘着領域５０で覆われるように形成されていてもよいし、バックシート３の裏面に粘着領域５０が部分的に設けられるように形成されていてもよい。ただし、バックシート３の裏面の第２の方向の両側の縁部（以下、「側縁部」という。）３０については、少なくとも一部分で、側縁部３０の外縁３３まで粘着領域５０が存在するように、粘着層５が形成されている。つまり、少なくともバックシート３の両側縁部３０において、その外縁３３に沿って、粘着領域５０が連続的に存在するか、あるいは、粘着領域５０が断続的に存在していれば、バックシート３の両側縁部３０以外の領域については、粘着領域５０が設けられる具体的な態様は特に限定されず、種々の態様で設けることができる。なお、バックシート３の裏面の側縁部３０とは、バックシート３の輪郭をなす外縁３３より内側の所定領域である。
【００２６】
このように、バックシート３の両側縁部３０の外縁３３にまで粘着領域５０が存在していると、体液吸収シート１を下着に装着した際に、体液吸収シート１の外周部分１０のうち、第２の方向の両側部分を確実に下着に貼り付けて固定することができる。よって、体液吸収シート１の両側部分が下着から容易に捲れることを防止できるので、下着に装着された体液吸収シート１について、両側部分からの捲れに起因して、位置ずれやヨレ、しわが発生することを抑制することができる。
【００２７】
本実施形態では、粘着層５は、バックシート３の一方の側縁部３０の外縁３３から他方の側縁部３０の外縁３３まで延びる帯状の粘着領域５０により構成されており、粘着領域５０が、バックシート３の第１の方向に一定の間隔（以下、「配置間隔」という。）Ｄをあけて複数配置されたストライプ状に形成されている。よって、隣接する粘着領域５０の間には、帯状の非粘着領域５１が配置されている。この非粘着領域５１は、例えば、バックシート３の裏面のその部分にだけ粘着剤を塗布しないことによって形成することができる。又は、非粘着領域５１における通気性は確保されないが、一旦粘着領域５０を形成した後に非粘着性の物質を粘着領域５０上に塗布したりすることで形成することができる。
【００２８】
このように、バックシート３の裏面に非粘着領域５１が存在していると、バックシート３の裏面のほぼ全面に粘着領域５０が存在している場合と比べて、体液吸収シート１を下着に装着した後、これを下着から取り外す際に、非粘着領域５１では体液吸収シート１は下着に貼り付けられていないので、体液吸収シート１を下着から剥がしやすくすることができるという効果を奏する。また、体液吸収シート１は下着と粘着している領域の面積が少ないので、体液吸収シート１を下着から取り外す際に粘着領域５０により下着に与えるダメージを減少させることができるとともに、体液吸収シート１を下着から取り外した後に粘着領域５０が下着に残るおそれが減少するという効果を奏する。加えて、バックシート３の裏面に非粘着領域５１が存在していることで、体液吸収シート１の通気性を向上することができ、非粘着領域５１が一定の間隔をあけて均等に配置されていることで、体液吸収シート１の全体的な通気性のバランスを良好にすることができるという効果を奏する。
【００２９】
粘着領域５０の配置間隔Ｄ及び粘着領域５０の幅ｄは、上述した体液吸収シート１の位置ずれやヨレ、しわの発生を抑制する効果や下着から体液吸収シート１を剥がしやすくする効果が十分に得られるように設定されるのが好ましい。具体的には、粘着領域５０の配置間隔Ｄは、１ｍｍ〜１０ｍｍとするのが望ましく、１ｍｍ〜５ｍｍとするのがさらに望ましく、この実施形態では２ｍｍとされている。また、粘着領域５０の幅ｄは、１ｍｍ〜１０ｍｍとするのが望ましく、１ｍｍ〜５ｍｍとするのがさらに望ましく、この実施形態では２ｍｍとされている。この実施形態のように、配置間隔Ｄと粘着領域５０の幅ｄとを同一にすることによって、下着への装着状態や下着からの取り外しにおけるバランスを良好にすることができる。なお、粘着領域５０の配置間隔Ｄや粘着領域５０の幅ｄは、例えばノギスで計測することができる。
【００３０】
また、本実施形態では、体液吸収シート１は、外周部分１０のうち、第１の方向の両側部分が凸状に湾曲して先端Ｔが突き出た形状に形成されており、バックシート３の第１の方向の両側の縁部（以下、「前縁部」及び「後縁部」という。）３１，３２のうち、少なくとも一方側の縁部（例えば前縁部３１）には、先端Ｔを含むようにして非粘着領域５１が設けられている。このように、バックシート３の少なくとも一方側の縁部（前縁部３１）に非粘着領域５１が設けられることによって、体液吸収シート１の使用時（下着への装着時）に、この非粘着領域５１から剥離シートを体液吸収シート１から剥がしやすくすることができる。さらには、体液吸収シート１の使用後に、下着からも剥がしやすくすることができる。
【００３１】
上記構成の体液吸収シート１は、本発明の効果を損なわない限りにおいて、その製法は特に限定されず、従来公知の方法を使用して製造される。製造方法としては、例えば、バックシート３と表面シート２とを、間に吸収性コア４を挟んで積層し、これらの層を接着剤などで接着後、外周部分１０を熱圧着し、所望の形状に沿ってシートを打ち抜き切断する方法が挙げられる。
【００３２】
上記構成の体液吸収シート１によれば、バックシート３の裏面の幅方向両側の側縁部３０の外縁まで粘着領域５０が存在しているので、体液吸収シート１を下着に装着した際に、体液吸収シート１の幅方向の両側部分を下着に貼り付けて固定することができる。体液吸収シートの幅方向の両側部分は、太股の内側に位置し、太股に接触して下着から捲れやすい部分であるが、粘着層５により下着に固定されているため、下着から容易に捲れることが防止されるので、体液吸収シート１の幅方向の両側部分からの捲れに起因して、下着に装着された体液吸収シート１が位置ずれしたり、下着に装着された体液吸収シート１にヨレ、しわが発生したりすることを抑制できる。
【００３３】
また、上記構成の体液吸収シート１によれば、粘着層５が一定の配置間隔Ｄをあけて配置された複数の帯状の粘着領域５０により構成されているので、隣接する粘着領域５０の間には、帯状の非粘着領域５１が設けられる。この非粘着領域５１は下着とは粘着していないので、非粘着領域５１の存在により、体液吸収シート１を下着から取り外す際に、剥がしやすくすることができるうえ、下着との粘着によって下着に与えるダメージを減少させることができる。加えて、非粘着領域５１の存在により、体液吸収シート１の通気性を向上することができ、非粘着領域５１が一定の間隔をあけて均等に配置されていることで、体液吸収シート１の全体的な通気性のバランスを良好にすることができる。
【００３４】
また、上記構成の体液吸収シート１によれば、バックシート３として液不透過性のフィルムを用いていることで、バックシート３と粘着層５（粘着領域５０）との粘着強度を高めることができる。その結果、体液吸収シート１を下着から取り外した際に、粘着層５（粘着領域５０）がバックシート３から剥がれて下着に付着することを抑制することができる。つまり、バックシート３に不織布を用いた場合には、不織布は表面が凹凸に形成されているので、バックシート３の裏面に形成された粘着層５（粘着領域５０）とバックシート３の裏面との間に隙間が生じる。よって、粘着層５（粘着領域５０）がバックシート３の裏面と密に接触せず、バックシート３に対する粘着強度が低くなる。粘着層５（粘着領域５０）のバックシート３に対する粘着強度が低いと、体液吸収シート１を下着から取り外した際に、粘着層５（粘着領域５０）がバックシート３から剥がれて下着に付着しやすくなるため、粘着層５（粘着領域５０）が下着に残ってしまう。一方で、バックシート３にフィルムを用いると、フィルムは表面が比較的平滑であるため、粘着層５（粘着領域５０）がバックシート３の裏面と密に接触することから、バックシート３に対する粘着強度が不織布よりも高くなる。このように、粘着層５（粘着領域５０）のバックシート３に対する粘着強度が高いと、体液吸収シート１を下着から取り外した際に、粘着層５（粘着領域５０）がバックシート３から剥がれにくいため、粘着層５（粘着領域５０）を下着に付着させることなく、体液吸収シート１を下着から取り外すことができる。
【００３５】
また、上記構成の体液吸収シート１によれば、表面シート２、吸収性コア４及びバックシート３の３層構造により構成されており、体液吸収シート１の外周部分１０は、表面シート２及びバックシート３のみで構成されているので、厚みが非常に薄く剛性が低い。よって、体液吸収シート１の幅方向の両側部分も下着から非常に捲れやすくなっているが、粘着層５により下着に固定されることで、下着から捲れることがより効果的に防止されている。
【００３６】
以上、本発明の一実施形態について説明したが、本発明は上記実施形態に限定されるものではなく、その趣旨を逸脱しない限りにおいて、種々の変更が可能である。例えば、上記実施形態では、粘着領域５０は、バックシート３の第２の方向の一方の側縁部３０の外縁３３から他方の側縁部３０の外縁３３まで、バックシート３の第１の方向と直交するように延びているが、バックシート３の第１の方向に対して３０度〜６０度程度傾斜するように延びていてもよい。
【００３７】
また、上記実施形態では、粘着領域５０は、バックシート３の第２の方向の一方の側縁部３０の外縁３３から他方の側縁部３０の外縁３３まで、連続する線状に延びていているが、不連続なミシン目状に延びていてもよい。さらに、粘着領域５０は、バックシート３の第２の方向の一方の側縁部３０の外縁３３から他方の側縁部３０の外縁３３まで、真っ直ぐ延びているが、ジグザグに折れ曲がって延びていてもよいし、ゆるやかに湾曲して延びていてもよい。
【００３８】
また、上記実施形態では、複数の粘着領域５０が一定の配置間隔Ｄをあけてバックシート５の裏面に配置されているが、隣接する粘着領域５０の各配置間隔Ｄは、必ずしも一定である必要はなく、バラツキがあってもよい。
【００３９】
また、上記実施形態では、粘着層５が、間隔をあけて配置された複数の帯状の粘着領域５０により構成されているが、図４に示すように、粘着領域５０がバックシート５の裏面をほぼ完全に覆うように設けられていてもよい。なお、この場合においても、バックシート３の裏面の第１の方向の少なくとも一方側の縁部（前縁部３１）には、先端Ｔを含むようにして非粘着領域５１を設け、この非粘着領域５１から剥離シートを体液吸収シート１から剥がしやすくすることが好ましい。
【００４０】
また、粘着層５は、バックシート３の裏面の第２の方向の両側の側縁部３０の少なくとも一部について、側縁部３０の外縁３３まで粘着領域５０が存在するように形成されていれば、粘着領域５０を様々な態様で設けることができる。例えば、図５に示すように、バックシート３の第２の方向の一方の側縁部３０の外縁３３から他方の側縁部３０の外縁３３まで延びる複数の粘着領域５０と、バックシート３の第１の方向の前縁部３１側から後縁部３２側まで延びる複数の粘着領域５０とにより、粘着層５を格子状とすることができる。このように、粘着層５を格子状に形成すると、ストライプ状に形成する場合に比べ、非粘着領域５１が細分化されるので、体液吸収シート１を下着にしっかりと貼り付けることができ、下着に装着した際に発生する体液吸収シート１のヨレ、しわをさらに効果的に抑制できる。なお、バックシート３の第２の方向に延びる複数の粘着領域５０の配置間隔Ｄと、バックシート３の第１の方向に延びる複数の粘着領域５０の配置間隔Ｄとは、１ｍｍ〜１０ｍｍとするのが望ましく、１ｍｍ〜５ｍｍとするのがさらに望ましく、この実施形態では２ｍｍとされている。また、全ての粘着領域５０の幅ｄは、１ｍｍ〜１０ｍｍとするのが望ましく、１ｍｍ〜５ｍｍとするのがさらに望ましく、この実施形態では２ｍｍとされている。配置間隔Ｄと粘着領域５０の幅ｄとを同一にすることによって、下着への装着状態や下着からの取り外しにおけるバランスを良好にすることができる。なお、粘着領域５０の配置間隔Ｄや粘着領域５０の幅ｄは、例えばノギスで計測することができる。
【００４１】
また、粘着層５は、図６に示すように、複数の粘着領域５０がバックシート３の裏面に散在するように設けられたドット状に形成されていてもよい。なお、粘着領域５０は、図７では外形が円形状に形成されているが、矩形状など種々の形状とすることができる。
【００４２】
また、粘着層５は、図７に示すように、バックシート３の裏面の外周縁部（両側縁部３０、前縁部３１及び後縁部３２）に沿ってのみ、粘着領域５０が設けられるように形成されていてもよい。この実施形態によると、バックシート３の裏面の中央部が非粘着領域５１となるので、体液吸収シート１の通気性が向上するうえ、下着に装着された体液吸収シート１が身体の動きに伴う下着の変形に追随して体液吸収シート１も変形しやすくなるので、体液吸収シート１にヨレ、しわが発生することを効果的に抑制できる。なお、粘着領域５０の幅は、５ｍｍ以上であることが好ましい。
【００４３】
また、上記実施形態では、体液吸収シート１は、表面シート２、吸収性コア４及びバックシート３の３層構造により構成されているが、表面シート２と吸収性コア４との間や吸収性コア４とバックシート３との間に、他の成分からなる層を有していてもよい。
【符号の説明】
【００４４】
１    体液吸収シート
２    表面シート
３    バックシート
４    吸収性コア
５    粘着層
３０  バックシートの側縁部
５０  粘着領域
【図１】
2015188737.tif 000003
【図２】
2015188737.tif 000004
【図３】
2015188737.tif 000005
【図４】
2015188737.tif 000006
【図５】
2015188737.tif 000007
【図６】
2015188737.tif 000008
【図７】
2015188737.tif 000009